(57)【要約】【課題】低コストで、使用者が容易にフォーカス調整を行うことが出来るプロジェクタ装置の提供を目的とする。【解決手段】本発明のプロジェクタ装置は、投写レンズ４と、投写レンズ４の焦点距離を最小距離から最大距離まで調整するフォーカス調整／微調整部９と、使用者の外部始動／停止操作を受けてフォーカス調整／微調整部９の調整動作を始動／停止するフォーカス自動調整タッチセンサ２と、を備える。フォーカス調整／微調整部９は前記調整動作の停止後、投写レンズ４の焦点距離を微調整し、フォーカス微調整タッチセンサ３は、外部微調整操作を受けてフォーカス調整／微調整部９の微調整動作を制御する。【選択図】図３
2010276902.tif 000002
【特許請求の範囲】
【請求項１】
投写レンズと、
前記投写レンズの焦点距離を最小距離から最大距離まで調整するフォーカス調整部と、
外部始動／停止操作を受けて前記フォーカス調整部の前記調整動作を始動／停止する外部指示部と、を備えることを特徴とする、プロジェクタ装置。
【請求項２】
前記フォーカス調整部の前記調整動作の停止後、前記投写レンズの焦点距離を微調整するフォーカス微調整部をさらに備え、
前記外部指示部は、外部微調整操作を受けて前記フォーカス微調整部の前記微調整動作を制御することを特徴とする、請求項１に記載のプロジェクタ装置。
【請求項３】
前記フォーカス調整部は、前記投写レンズを焦点距離が最小になる最小位置か最大になる最大位置のいずれかに向けて移動させた後、他端へ向けて移動させることにより前記調整動作を行うことを特徴とする、請求項１又は２に記載のプロジェクタ装置。
【請求項４】
前記投写レンズの位置を測定する位置センサをさらに備え、
前記フォーカス調整部は、前記位置センサの測定結果に基づき、焦点距離が最小になる最小位置か最大になる最大位置のうち近い方へ前記投写レンズを移動させた後、他端へ移動させることにより前記調整動作を行うことを特徴とする、請求項１又は２に記載のプロジェクタ装置。
【請求項５】
前記投写レンズの焦点距離の中で予め使用頻度の高い高頻度領域が定められており、
前記フォーカス調整部は、前記投写レンズが前記高頻度領域になければ、前記投写レンズを前記最大位置と前記最小位置のうち前記高頻度領域を通過する方向へ移動させた後、他端へ移動させることにより前記調整動作を行い、前記高頻度領域にあれば、前記位置センサの測定結果に基づき、前記最大位置と前記最小位置のうち近い方へ前記投写レンズを移動させた後、他端へ移動させることにより前記調整動作を行うことを特徴とする、請求項４に記載のプロジェクタ装置。
【請求項６】
前記フォーカス調整部は、前記投写レンズを前記他端へ移動させた後、前記他端で停止させることを特徴とする、請求項３〜５のいずれかに記載のプロジェクタ装置。
【請求項７】
前記外部指示部は、１回目操作により前記外部始動操作、２回目操作により前記外部停止操作を行う、１のタッチセンサを備えることを特徴とする、請求項１〜６のいずれかに記載のプロジェクタ装置。
【請求項８】
前記外部指示部は、前記焦点距離の微増／微減を別々に行う２つのタッチセンサを備えることを特徴とする、請求項２に記載のプロジェクタ装置。
【請求項９】
請求項２に記載のプロジェクタ装置の動作方法であって、
（ａ）前記外部指示部の外部操作により前記フォーカス調整部の前記調整動作を始動する工程と、
（ｂ）前記工程（ａ）の後、前記外部指示部の外部停止操作により前記フォーカス調整部の前記調整動作を停止する工程と、
（ｃ）前記工程（ｂ）の後、前記外部指示部の外部微調整操作により前記フォーカス微調整部の前記微調整動作を行う工程と、を備えた、プロジェクタ装置の動作方法。
【発明の詳細な説明】
【技術分野】
【０００１】
この発明は、フォーカスの調整を容易にするプロジェクタ装置及びそのフォーカス調整システムに関する。
【背景技術】
【０００２】
映像をスクリーンに投射するプロジェクタ装置では、像が鮮明にスクリーン上で結ばれるよう投写レンズのフォーカス調整を行う必要がある。しかし、プロジェクタ装置を設置する度に使用者が手動でフォーカス調整を行わなければならないとすれば、使用者にとって負担となる。
【０００３】
この負担を軽減する改善策として、特許文献１では、測距センサを設けて投写面との距離を連続的に計測し、投写面との距離に対応して投写レンズの焦点を自動的に調整する、オートフォーカス調整機能を備えたプロジェクタ装置が提案されている。
【先行技術文献】
【特許文献】
【０００４】
【特許文献１】特開２００４−２３３１１５号公報
【発明の概要】
【発明が解決しようとする課題】
【０００５】
しかし、特許文献１のプロジェクタ装置のように、オートフォーカス調整を実現するべく測距センサを設ければ、その分のコストがかかり、プロジェクタ装置が高価になってしまうという問題がある。
【０００６】
一方、使用者が手動でフォーカス調整を行う構成とすれば、使用者は焦点をスクリーンに合わせるために投写レンズの焦点距離を近づければよいのか、遠ざければよいのか一見して不明であるため、焦点距離の調整方向に迷いが生じ、不便を感じることになる。
【０００７】
本発明は上述の問題点に鑑み、低コストで、使用者が容易にフォーカス調整を行うことが出来るプロジェクタ装置の提供を目的とする。
【課題を解決するための手段】
【０００８】
本発明のプロジェクタ装置は、投写レンズと、投写レンズの焦点距離を最小距離から最大距離まで調整するフォーカス調整部と、外部始動／停止操作を受けてフォーカス調整部の調整動作を始動／停止する外部指示部と、を備える。
【０００９】
又、本発明のプロジェクタ装置の動作方法は、（ａ）外部指示部の外部操作によりフォーカス調整部の調整動作を始動する工程と、（ｂ）工程（ａ）の後、外部指示部の外部停止操作によりフォーカス調整部の調整動作を停止する工程と、（ｃ）工程（ｂ）の後、外部指示部の外部微調整操作によりフォーカス微調整部の微調整動作を行う工程と、を備える。
【発明の効果】
【００１０】
本発明のプロジェクタ装置は、投写レンズの焦点距離を最小距離から最大距離まで調整するフォーカス調整部と、外部始動／停止操作を受けてフォーカス調整部の調整動作を始動／停止する外部指示部と、を備える。これにより、低コストなプロジェクタ装置となり、使用者が容易にフォーカス調整を行う事が出来る。
【００１１】
又、本発明のプロジェクタ装置の動作方法は、（ａ）外部指示部の外部操作によりフォーカス調整部の調整動作を始動する工程と、（ｂ）工程（ａ）の後、外部指示部の外部停止操作によりフォーカス調整部の調整動作を停止する工程と、（ｃ）工程（ｂ）の後、外部指示部の外部微調整操作によりフォーカス微調整部の微調整動作を行う工程と、を備える。これにより、低コストなプロジェクタ装置でありながら、使用者が容易にフォーカス調整を行う事が出来る。
【図面の簡単な説明】
【００１２】
【図１】本発明のプロジェクタ装置の概略図である。
【図２】本発明のフォーカス調整ダイアログの例を示す図である。
【図３】実施の形態１のプロジェクタ装置の構成を示すブロック図である。
【図４】実施の形態１のプロジェクタ装置の動作を示す図である。
【図５】実施の形態２のプロジェクタ装置の構成を示すブロック図である。
【図６】実施の形態２のプロジェクタ装置の動作を示す図である。
【図７】実施の形態３のプロジェクタ装置の動作を示す図である。
【発明を実施するための形態】
【００１３】
（実施の形態１）
＜構成＞
図１は、実施の形態１のプロジェクタ装置１の概略図である。プロジェクタ装置１は、スクリーン５上に映像を投射する投写レンズ４を備えている。さらに、プロジェクタ装置１は、投写レンズ４の焦点距離の調整動作（スキャン）を始動／停止させるフォーカス自動調整タッチセンサ２と、スキャン停止後に投写レンズ４の焦点距離の微調整をするフォーカス微調整タッチセンサ３と、を備えている。フォーカス自動調整タッチセンサ２は１つのタッチセンサであり、１回目のタッチ操作でスキャンを始動させ、２回目のタッチ操作でスキャンを停止する。フォーカス微調整タッチセンサ３は、焦点距離を微増させるタッチセンサと、焦点距離を微減させるタッチセンサの２つからなる。これらは、図３で後述する投写レンズ４のフォーカス調整機構の一部である。
【００１４】
図３は、実施の形態１のプロジェクタ装置１が備える、投写レンズ４のフォーカス調整機構の構成を示すブロック図である。投写レンズ４のフォーカス調整機構は、投写レンズ４の他に、ユーザがタッチ操作を行う前述のフォーカス自動調整タッチセンサ２及びフォーカス微調整センサ３と、これらの操作信号を受けて制御を行うマイコン回路７と、マイコン回路７の制御を受けて投写レンズ４の焦点距離を調整／微調整するフォーカス調整部／微調整部９と、同じくマイコン回路７の制御を受けて投写レンズ４から投射すべき映像を出力する映像信号出力部８と、を備えている。
【００１５】
＜動作＞
図３に沿って、実施の形態１のプロジェクタ装置１が備える、投写レンズ４のフォーカス調整機構の動作を説明する。まず、使用者がフォーカス自動調整タッチセンサ２に触れて外部始動操作を行うと、マイコン回路７は、映像信号出力部８にフォーカス調整ダイアログ６を出力するよう命令を出すと同時に、フォーカス調整／微調整部９に対しフォーカス調整を開始するよう命令を出す。この段階で映像信号出力部８が投写レンズ４に出力するフォーカス調整ダイアログ６には何らかの文字が表示され、フォーカス調整がなされていく様子を使用者が確認できるようになっている。
【００１６】
フォーカス調整／微調整部９が行う投写レンズ４のフォーカス調整動作を図４に示す。投写レンズ４の焦点距離が最大になる位置を最大位置、最小になる位置を最小位置とした場合、マイコン回路７から命令を受けたフォーカス調整／微調整部９は、投写レンズ４を最小位置まで移動させる。このとき、最大位置から最小位置まで投写レンズ４が移動するのに要する時間を最大所要時間Ｔとした場合、フォーカス調整／微調整部９は投写レンズ４を最大所要時間Ｔだけ最小位置方向へ移動させればよい。そして、投写レンズ４は最小位置において空回りし、それ以上進まない構成にしておけば、投写レンズ４がどの位置にあったとしても最小位置まで移動させることが出来る。
【００１７】
投写レンズ４を最小位置まで移動させた後、フォーカス調整／微調整部９は、投写レンズ４を最小位置から最大位置まで移動させることにより、焦点距離を最小距離から最大距離までスキャンする。使用者はスクリーン５上にあるフォーカス調整ダイアログ６の表示を見ながら、フォーカスが合った時点でフォーカス自動調整タッチセンサ２に触れて外部停止操作を行うと、マイコン回路７がフォーカス調整／微調整部９に投写レンズ４を停止させるよう命令し、投写レンズ４はフォーカスが合った位置で停止する。もし、使用者がスキャンを中断しなかった場合は、投写レンズ４は最小位置から最大所要時間Ｔだけ移動した後、最大位置にて停止する。
【００１８】
すなわち、実施の形態１のプロジェクタ装置は、投写レンズ４と、投写レンズ４の焦点距離を最小距離から最大距離まで調整するフォーカス調整部（フォーカス調整／微調整部９）と、外部始動／停止操作を受けてフォーカス調整／微調整部９の調整動作を始動／停止する外部指示部（フォーカス自動調整タッチセンサ２）と、を備える。フォーカス調整／微調整部９が投写レンズ４の焦点距離を最小距離から最大距離まで調整していくため、使用者は焦点が合ったところでフォーカス自動調整タッチセンサ２によって調整動作を停止すればよい。そのため、使用者は投写レンズ４の焦点距離を近づけるのか遠ざけるのか迷うことなく、容易にフォーカス調整を行う事ができる。また、測距センサを用いないため、プロジェクタ装置のコストを抑えることが出来る。
【００１９】
又、フォーカス調整部（フォーカス調整／微調整部９）は、投写レンズ４を焦点距離が最小になる最小位置か最大になる最大位置のいずれかに向けて移動させた後、他端へ向けて移動させることにより調整動作を行う。これにより、投写レンズ４の焦点距離を最小距離から最大距離まで全ての範囲に動かし、その中から最適な焦点距離を探ることが出来る。
【００２０】
さらに、フォーカス調整部９は、投写レンズ４を前記他端へ移動させた後、前記他端で停止させる。これにより、使用者がフォーカス自動調整タッチセンサ２を操作せずフォーカス調整動作を停止しなかった場合でも、全範囲に投写レンズ４を移動させた後、調整動作は自動停止される。
【００２１】
また、外部指示部（フォーカス自動調整タッチセンサ２）は、１回目操作により外部始動操作、２回目操作により外部停止操作を行う、１のタッチセンサを備える。スキャンを始動させるタッチセンサと、スキャンを中断させるタッチセンサを兼用することにより、部品点数の減少によるコストダウン効果を奏し、さらに使用者がどのタッチセンサを使用するか迷わずに操作できるという利点がある。
【００２２】
外部停止操作が行われてフォーカスの自動調整が終了すると、フォーカス調整ダイアログ６では図２に示すような表示がなされ、フォーカスの微調整を行うよう使用者に促す。使用者はフォーカス微調整タッチセンサ３に触れることで微調整を行う。本実施の形態では、フォーカス微調整タッチセンサ３は焦点距離を増加させるタッチセンサと、焦点距離を減少させるタッチセンサの２種類があり、これらを用いてフォーカスの微調整を行い、フォーカスの調整を完了する。
【００２３】
すなわち、実施の形態１のプロジェクタ装置は、フォーカス調整部（フォーカス調整／微調整部９）の調整動作の停止後、投写レンズ４の焦点距離を微調整するフォーカス微調整部（フォーカス調整／微調整部９）をさらに備え、外部指示部（フォーカス微調整タッチセンサ２）は、外部微調整操作を受けてフォーカス調整／微調整部９の微調整動作を制御する。これにより、精度の良いフォーカス調整が可能になる。又、元から投写レンズ４の焦点がある程度合っている場合は、フォーカス調整／微調整部９による自動調整動作を行わずに、微調整動作のみを行っても良い。
【００２４】
又、外部指示部（フォーカス微調整タッチセンサ２）は、焦点距離の微増／微減を別々に行う２つのタッチセンサを備える。これにより、容易にフォーカス微調整を行う事ができ、精度の良いフォーカス調整が可能になる。
【００２５】
又、実施の形態１のプロジェクタ装置の動作方法は、（ａ）外部指示部（フォーカス自動調整タッチセンサ２）の外部操作によりフォーカス調整部（フォーカス調整／微調整部９）の調整動作を始動する工程と、（ｂ）工程（ａ）の後、外部指示部（フォーカス自動調整タッチセンサ２）の外部停止操作によりフォーカス調整部（フォーカス調整／微調整部９）の調整動作を停止する工程と、（ｃ）工程（ｂ）の後、外部指示部（フォーカス微調整タッチセンサ３）の外部微調整操作によりフォーカス微調整部（フォーカス調整／微調整部９）の微調整動作を行う工程と、を備える。これにより、使用者は投写レンズ４の焦点距離を近づけるのか遠ざけるのか迷うことなく、容易にフォーカス調整を行う事ができる。また、測距センサを用いないため、プロジェクタ装置のコストを抑えることが出来る。
【００２６】
＜効果＞
実施の形態１のプロジェクタ装置によれば、既に述べたように以下の効果を奏する。すなわち、実施の形態１のプロジェクタ装置は、投写レンズ４と、投写レンズ４の焦点距離を最小距離から最大距離まで調整するフォーカス調整部（フォーカス調整／微調整部９）と、外部始動／停止操作を受けてフォーカス調整／微調整部９の調整動作を始動／停止する外部指示部（フォーカス自動調整タッチセンサ２）と、を備える。フォーカス調整／微調整部９が投写レンズ４の焦点距離を最小距離から最大距離まで調整していくため、使用者は焦点が合ったところでフォーカス自動調整タッチセンサ２によって調整動作を停止すればよい。そのため、使用者は投写レンズ４の焦点距離を近づけるのか遠ざけるのか迷うことなく、容易にフォーカス調整を行う事ができる。また、測距センサを用いないため、プロジェクタ装置のコストを抑えることが出来る。
【００２７】
又、プロジェクタ装置は、フォーカス調整部（フォーカス調整／微調整部９）の調整動作の停止後、投写レンズ４の焦点距離を微調整するフォーカス微調整部（フォーカス調整／微調整部９）をさらに備え、外部指示部（フォーカス微調整タッチセンサ２）は、外部微調整操作を受けてフォーカス調整／微調整部９の微調整動作を制御する。これにより、精度の良いフォーカス調整が可能になる。又、元から投写レンズ４の焦点がある程度合っている場合は、フォーカス調整／微調整部９による自動調整動作を行わずに、微調整動作のみを行っても良い。
【００２８】
又、フォーカス調整部（フォーカス調整／微調整部９）は、投写レンズ４を焦点距離が最小になる最小位置か最大になる最大位置のいずれかに向けて移動させた後、他端へ向けて移動させることにより調整動作を行う。これにより、投写レンズ４の焦点距離を最小距離から最大距離まで全ての範囲に動かし、その中から最適な焦点距離を探ることが出来る。
【００２９】
さらに、フォーカス調整部９は、投写レンズ４を前記他端へ移動させた後、前記他端で停止させる。これにより、使用者がフォーカス自動調整タッチセンサ２を操作せずフォーカス調整動作を停止しなかった場合でも、全範囲に投写レンズ４を移動させた後、調整動作は自動停止される。
【００３０】
又、外部指示部（フォーカス自動調整タッチセンサ２）は、１回目操作により外部始動操作、２回目操作により外部停止操作を行う、１のタッチセンサを備える。スキャンを始動させるタッチセンサと、スキャンを中断させるタッチセンサを１つのタッチセンサで兼用することで、部品点数の減少によるコストダウン効果があり、さらに使用者がどのタッチセンサを使用するか迷わずに操作できるという利点がある。
【００３１】
又、外部指示部（フォーカス微調整タッチセンサ２）は、焦点距離の微増／微減を別々に行う２つのタッチセンサを備える。これにより、容易にフォーカス微調整を行う事ができ、精度の良いフォーカス調整が可能になる。
【００３２】
実施の形態１のプロジェクタ装置の動作方法によれば、以下の効果を奏する。すなわち、実施の形態１のプロジェクタ装置の動作方法は、（ａ）外部指示部（フォーカス自動調整タッチセンサ２）の外部操作によりフォーカス調整部（フォーカス調整／微調整部９）の調整動作を始動する工程と、（ｂ）工程（ａ）の後、外部指示部（フォーカス自動調整タッチセンサ２）の外部停止操作によりフォーカス調整部（フォーカス調整／微調整部９）の調整動作を停止する工程と、（ｃ）工程（ｂ）の後、外部指示部（フォーカス微調整タッチセンサ３）の外部微調整操作によりフォーカス微調整部（フォーカス調整／微調整部９）の微調整動作を行う工程と、を備える。これにより、使用者は投写レンズ４の焦点距離を近づけるのか遠ざけるのか迷うことなく、容易にフォーカス調整を行う事ができる。また、測距センサを用いないため、プロジェクタ装置のコストを抑えることが出来る。
【００３３】
（実施の形態２）
＜構成＞
図５は、実施の形態２の投写型表示装置が備える投写レンズ４のフォーカス調整機構の構成を示すブロック図である。実施の形態１のフォーカス調整機構と同一の構成要素には同一の番号を付している。実施の形態２のフォーカス調整機構は、投写レンズ４の現在位置を感知する投写レンズ位置センサ１０を備える点が実施の形態１とは異なる。これ以外の点については実施の形態１のフォーカス調整機構と同様であるため、説明を省略する。
【００３４】
＜動作＞
図５に示したフォーカス調整機構の動作を説明する。図６は、フォーカス調整／微調整部９がフォーカス調整を開始する直前の投写レンズ４の位置を示している。使用者がフォーカス自動調整タッチセンサ２に触れると、投写レンズ位置センサ１０の情報を受けたマイコン回路７は、投写レンズ４の現在位置が最小位置と最大位置のどちらに近いかを判断し、最短経路となる進行方向を決定する。
【００３５】
図６では、投写レンズ４は最小位置側に位置しているため、マイコン回路７はまず最小位置に向けて移動させるようにフォーカス調整／微調整部９に命令する。投写レンズ４は最小位置に移動し、そこから最大位置まで焦点距離のスキャン（調整）を行う。もし投写レンズ４の初期位置が最大位置側であれば、まず最大位置に移動し、そこから最小位置まで焦点距離をスキャンする。このように、フォーカス調整／微調整部９は最短経路を通ってフォーカス調整動作を行う。
【００３６】
すなわち、実施の形態２のプロジェクタ装置は、投写レンズ４の位置を測定する位置センサ１０を備え、フォーカス調整部（フォーカス調整／微調整部９）は、位置センサ１０の測定結果に基づき、焦点距離が最小になる最小位置か最大になる最大位置のうち近い方へ投写レンズ４を移動させた後、他端へ移動させることにより調整動作を行う。最短経路を通って焦点距離の調整を行うため、フォーカス調整に要する時間を短縮することが出来る。
【００３７】
＜効果＞
実施の形態２のプロジェクタ装置によれば、既に述べたように以下の効果を奏する。すなわち、実施の形態２のプロジェクタ装置は、投写レンズ４の位置を測定する位置センサ１０を備え、フォーカス調整部（フォーカス調整／微調整部９）は、位置センサ１０の測定結果に基づき、焦点距離が最小になる最小位置か最大になる最大位置のうち近い方へ投写レンズ４を移動させた後、他端へ移動させることにより調整動作を行う。最短経路を通って焦点距離の調整を行うため、フォーカス調整に要する時間を短縮することが出来る。
【００３８】
（実施の形態３）
＜構成＞
実施の形態３のプロジェクタ装置が備える投写レンズのフォーカス調整機構の構成は、図５に示した実施の形態２のフォーカス調整機構と同様であるため、説明を省略する。
【００３９】
＜動作＞
実施の形態３では、投写レンズ４の焦点距離のうち、予め使用頻度の高い高頻度領域を設定しておく。一般的な中小会議室で使用することを想定すれば、焦点距離は６０インチ〜１００インチとなり、大会議室用ではさらに大きくしても良い。
【００４０】
図７は、フォーカス調整／微調整部９がフォーカス調整を開始する直前の投写レンズ４の位置を示している。使用者がフォーカス自動調整タッチセンサ２に触れると、マイコン回路７は投写レンズの現在位置と高頻度領域とを比較し、フォーカス調整部９に対し、高頻度領域に向けてスキャンを開始するように命令する。もし、投写レンズ４が初めから高頻度領域に位置している場合は全体をスキャンする必要があるため、投写レンズ位置センサ１０の情報を受けたマイコン回路７は、投写レンズ４の現在位置が最小位置と最大位置のどちらに近いかを判断し、最短経路となる進行方向を決定する。この場合の動作は実施の形態２と同様である。
【００４１】
すなわち、実施の形態３のプロジェクタ装置では、投写レンズ４の焦点距離の中で予め使用頻度の高い高頻度領域が定められており、フォーカス調整部（フォーカス調整／微調整部９）は、投写レンズ４が高頻度領域になければ、投写レンズ４を最大位置と最小位置のうち高頻度領域を通過する方向へ移動させた後、他端へ移動させることにより焦点距離の調整動作を行い、高頻度領域にあれば、位置センサ１０の測定結果に基づき、最大位置と最小位置のうち近い方へ投写レンズ４を移動させた後、他端へ移動させることにより調整動作を行う。このように、予め使用頻度の高い領域を設定しておくことにより、使用者が求めるフォーカス調整位置に素早く移動することが出来る。
【００４２】
＜効果＞
実施の形態３のプロジェクタ装置によれば、既に述べた通り以下の効果を奏する。すなわち、実施の形態３のプロジェクタ装置では、投写レンズ４の焦点距離の中で予め使用頻度の高い高頻度領域が定められており、フォーカス調整部（フォーカス調整／微調整部９）は、投写レンズ４が高頻度領域になければ、投写レンズ４を最大位置と最小位置のうち高頻度領域を通過する方向へ移動させた後、他端へ移動させることにより焦点距離の調整動作を行い、高頻度領域にあれば、位置センサ１０の測定結果に基づき、最大位置と最小位置のうち近い方へ投写レンズ４を移動させた後、他端へ移動させることにより調整動作を行う。このように、予め使用頻度の高い領域を設定しておくことにより、使用者が求めるフォーカス調整位置に素早く移動することが出来る。
【符号の説明】
【００４３】
１  プロジェクタ装置、２  フォーカス自動調整タッチセンサ、３  フォーカス微調整タッチセンサ、４  投写レンズ、９  フォーカス調整／微調整部。
【図１】
2010276902.tif 000003
【図２】
2010276902.tif 000004
【図３】
2010276902.tif 000005
【図４】
2010276902.tif 000006
【図５】
2010276902.tif 000007
【図６】
2010276902.tif 000008
【図７】
2010276902.tif 000009